(57)【要約】【課題】適正なセリ価格維持とセリ時間短縮ができる。【解決手段】セリの実行は、セリ準備状態でセリ人によるセリ操作装置のスタートキー入力で入札の受け付けを開始し、この受け付けを自動終了時間内継続する。自動終了時間経過後またはセリ人による前記セリ操作装置の終了キーの入力されたときに入札を締め切るためのカウントダウンを開始し、このカウントダウンを終了したときに入札の受け付けを終了し、この受付終了後、セリ人による前記セリ操作装置の確定キーの入力されたときに入札商品に残りがないときは落札価格を確定し、入札商品に残りがあるときにはマリセリに切り替えてマリセリ価格での応札を受け付ける。さらに、各レーンにおけるセリ実行の自動終了時間内であれば、応札機から他レーンを選択し入札する操作を繰り返すことができる。【選択図】図２
2010224858.tif 000002
【特許請求の範囲】
【請求項１】
セリ商品情報およびセリに関連する情報を保存するデータベースと、セリ人による操作に基づいてセリを実行する各セリ操作装置と、セリ入札手段とセリマリ応札手段とセリ情報表示手段を搭載して買参人の応札を実行する複数台の応札機と、セリ操作装置と応札機間の通信や状態を支援・監視する機械セリサーバと、セリ商品のセリ状態をセリ会場内で表示するセリ表示装置とを備え、
前記セリ操作装置のセリ実行処理手段は、
現在のセリ対象となる商品情報を画面表示して、スタートキーまたはマリキーの入力待ちをする準備モード（ＳＴ１）と、
前記準備モード（ＳＴ１）でセリ人による前記セリ操作装置のスタートキー入力で入札の受け付けを開始し、この受け付けを自動終了時間内継続するセリ実行モード（ＳＴ２）と、
前記セリ実行モード（ＳＴ２）で自動終了時間経過後またはセリ人による前記セリ操作装置の終了キーの入力されたときに入札を締め切るためのカウントダウンを開始するカウントダウンモード（ＳＴ３）と、
前記カウントダウンモード（ＳＴ３）でカウントダウンを終了したときに入札の受け付けを終了する受付終了モード（ＳＴ４）と、
前記受付終了モード（ＳＴ４）後、確定及びキャンセルを画面表示して、落札を確定するか入札をキャンセルするかの入力待ちをする確定モード（ＳＴ５）と、
前記確定モード（ＳＴ５）は、セリ人による前記セリ操作装置の確定キーの入力されたときに入札商品に残りがないときは落札価格を確定して前記準備モード（ＳＴ１）にて新セリへ移行し、セリ人による前記セリ操作装置のキャンセルキーの入力されたときに入札をキャンセルし、前記準備モード（ＳＴ１）にて新セリへ移行し、
前記準備モード（ＳＴ１）でセリ人による前記セリ操作装置のマリキー入力または前記確定モード（ＳＴ５）でセリ人による前記セリ操作装置の確定キーの入力されたときに入札商品に残りがあるときはマリセリを実行するマリセリ実行モード（ＳＴ６）と、
を備えたことを特徴とする機械セリシステム。
【請求項２】
前記応札機は、機械セリサーバを介し前記データベースに対して入荷商品についての情報検索を行い、当該商品について先行登録を行う手段を備え、
前記セリ操作装置は、応札機から前記データベースに先行登録された先行入札情報を機械セリサーバを介し前記データベースから取り込み、セリ開始で判定し、先行入札で指定された金額とセリ応札金額で、リアルタイムに入札価格をセリ上げる手段を備えたことを特徴とする請求項１に記載の機械セリシステム。
【請求項３】
前記セリ実行モード（ＳＴ２）は、応札機からのセリ応札受付けの優先順位は入札価格で判定し、同一価格の場合には入札順に優先順位を判定し、応札有効価格を下回らない場合に各応札機および表示装置の画面に落札候補を表示し、セリ中は何度でも再入札を可能とし、Ｗｅｂシステム経由またはセリ場の応札機から入力された先行入札で指定された金額で、リアルタイムに入札価格をセリ上げる手段を備えたことを特徴とする請求項１に記載の機械セリシステム。
【請求項４】
前記マリセリ実行モード（ＳＴ６）は、
応札有効価格の入札がない状態からのマリセリはセリ人による任意のマリセリ価格設定に従い、応札有効価格の入札がある状態の場合には応札有効価格の最低価格を自動的にマリセリ価格とする手段と、
前記先行入札または通常入札も有効として、入札順に割り当てを行う手段と、
応札機から異なる価格を指定した場合、判定はマリセリ価格で判定する手段と、
を備えたことを特徴とする請求項１に記載の機械セリシステム。
【請求項５】
前記応札機は、
それにＩＣカードがタッチされて暗証番号が入力されることで機械セリサーバを介し前記データベースに対して認証要求を行い、該データベースから認証リプライを受ける手段と、
前記認証登録を受けたことを前記セリ操作装置にブロードキャスト通知する手段と、
を備えたことを特徴とする請求項１に記載の機械セリシステム。
【請求項６】
前記応札機は、買参人が入力したレーン情報を取り込みレーンを切り替え、買参人が入力した入札口数と金額を取り込みセリの入札要求を行い、該レーンを管理する前記セリ操作装置からの入札リプライを受ける手段と、前記入札リプライ後、前記セリ操作装置から入札を受けたことを前記応札機に知らせるブロードキャスト通知を受ける手段と、
を備えたことを特徴とする請求項１に記載の機械セリシステム。
【請求項７】
セリ商品情報およびセリに関連する情報を保存するデータベースと、セリ人による操作に基づいてセリを実行する各セリ操作装置と、セリ入札手段とセリマリ応札手段とセリ情報表示手段を搭載して買参人の応札を実行する複数台の応札機と、セリ操作装置と応札機間の通信や状態を支援・監視する機械セリサーバと、セリ商品のセリ状態をセリ会場内で表示するセリ表示装置とを備え、
前記セリ操作装置のセリ実行処理手段は、
現在のセリ対象となる商品情報を画面表示して、スタートキーまたはマリキーの入力待ちをする準備ステップ（ＳＴ１）と、
前記準備ステップ（ＳＴ１）でセリ人による前記セリ操作装置のスタートキー入力で入札の受け付けを開始し、この受け付けを自動終了時間内継続するセリ実行ステップ（ＳＴ２）と、
前記セリ実行ステップ（ＳＴ２）で自動終了時間経過後またはセリ人による前記セリ操作装置の終了キーの入力されたときに入札を締め切るためのカウントダウンを開始するカウントダウンステップ（ＳＴ３）と、
前記カウントダウンステップ（ＳＴ３）でカウントダウンを終了したときに入札の受け付けを終了する受付終了ステップ（ＳＴ４）と、
前記受付終了ステップ（ＳＴ４）後、確定及びキャンセルを画面表示して、落札を確定するか入札をキャンセルするかの入力待ちをする確定ステップ（ＳＴ５）と、
前記確定ステップ（ＳＴ５）は、セリ人による前記セリ操作装置の確定キーの入力されたときに入札商品に残りがないときは落札価格を確定して前記準備ステップ（ＳＴ１）にて新セリへ移行し、セリ人による前記セリ操作装置のキャンセルキーの入力されたときに入札をキャンセルし、前記準備ステップ（ＳＴ１）にて新セリへ移行し、
前記準備ステップ（ＳＴ１）でセリ人による前記セリ操作装置のマリキー入力または前記確定ステップ（ＳＴ５）でセリ人による前記セリ操作装置の確定キーの入力されたときに入札商品に残りがあるときはマリセリを実行するマリセリ実行ステップ（ＳＴ６）と、
を有することを特徴とする機械セリ方法。
【請求項８】
前記応札機は、機械セリサーバを介し前記データベースに対して入荷商品についての情報検索を行い、当該商品について先行登録を行ステップを有し、
前記セリ操作装置は、応札機から前記データベースに先行登録された先行入札情報を機械セリサーバを介し前記データベースから取り込み、セリ開始で判定し、先行入札で指定された金額とセリ応札金額で、リアルタイムに入札価格をセリ上げるステップを有することを特徴とする請求項7に記載の機械セリ方法。
【請求項９】
前記セリ実行ステップ（ＳＴ２）は、応札機からのセリ応札受付けの優先順位は入札価格で判定し、同一価格の場合には入札順に優先順位を判定し、応札有効価格を下回らない場合に各応札機および表示装置の画面に落札候補を表示し、セリ中は何度でも再入札を可能とし、Ｗｅｂシステム経由またはセリ場の応札機から入力された先行入札で指定された金額で、リアルタイムに入札価格をセリ上げるステップを有することを特徴とする請求項7に記載の機械セリ方法。
【請求項１０】
前記マリセリ実行ステップ（ＳＴ６）は、
応札有効価格の入札がない状態からのマリセリはセリ人による任意のマリセリ価格設定に従い、応札有効価格の入札がある状態の場合には応札有効価格の最低価格を自動的にマリセリ価格とするステップと、
前記先行入札または通常入札も有効として、入札順に割り当てを行うステップと、
応札機から異なる価格を指定した場合、判定はマリセリ価格で判定するステップと、
を有することを特徴とする請求項7に記載の機械セリ方法。
【請求項１１】
前記応札機は、
それにＩＣカードがタッチされて暗証番号が入力されることで機械セリサーバを介し前記データベースに対して認証要求を行い、該データベースから認証リプライを受けるステップと、
前記認証登録を受けたことを前記セリ操作装置にブロードキャスト通知するステップと、
を有することを特徴とする請求項7に記載の機械セリ方法。
【請求項１２】
前記応札機は、買参人が入力したレーン情報を取り込みレーンを切り替え、買参人が入力した入札口数と金額を取り込みセリの入札要求を行い、該レーンを管理する前記セリ操作装置からの入札リプライを受けるステップと、前記入札リプライ後、前記セリ操作装置から入札を受けたことを前記応札機に知らせるブロードキャスト通知を受けるステップと、
を有することを特徴とする請求項7に記載の機械セリ方法。
【請求項１３】
請求項7〜１2のいずれか１項に記載の機械セリ方法における処理手順をコンピュータで実行可能に構成したことを特徴とするプログラム。
【発明の詳細な説明】
【技術分野】
【０００１】
本発明は、花き市場などの卸売市場の機械セリ（競り）システム、機械セリ方法およびプログラムに関する。
【背景技術】
【０００２】
機械セリシステムは、花き市場や青果市場、魚市場などの卸売市場のセリ業務をコンピュータ処理で実現する。
【０００３】
図８は、従来の機械セリシステムの要部構成を示す。セリＤＢサーバ（データベース）１００と機械セリサーバ２００は機械セリＬＡＮで接続されてセリ情報の授受を可能にし、さらに機械セリＬＡＮには複数台のセリ操作装置３００が接続されてセリ情報の授受を可能にする。機械セリサーバ２００と各セリ操作装置３００は、応札機ＬＡＮで多数台の応札機４００と接続され、応札に必要なセリ商品情報（例えば花き情報）の提示と応札情報（買い口数、セリ値などの情報）の取り込みを可能にする。
【０００４】
大画面表示器５００は、各セリ会場に設備され、セリ会場別にセリ商品の表示（セリ商品の種別、数量など）と現在のセリ状況（セリ価格、口数など）を応札者が容易に視認可能にしておく。また、機械セリＬＡＮには、商品入荷処理、競り結果処理、各種伝票・商標発行処理などの専用のサーバが接続される。
【０００５】
上記の機械セリシステムは、セリ会場でのコンピュータ処理のほか、オークションに見られるように、インターネット経由で外部のパソコン等の端末装置から買参人（入札）を可能にしたシステムもある。
【０００６】
機械セリシステムによるセリは、一般的には、各商品別に順次および各会場別に並行して行われ、レーン上におかれたセリ商品に対して買参人が使用している応札機や端末装置によりセリ上げられ、予め決められた時間・時刻または最終の応札から一定時間後に当該商品について落札処理される。
【０００７】
ここで、応札には、応札機４００上の画面や大画面表示器５００の画面を見ながら、商品コードやテンキー、応札ボタンを操作することになり、不注意や一瞬の判断・操作遅れで落札に失敗することがある。また、インターネットなどの外部からの応札では、セリ情報の伝達遅延がセリの公正・公平性に影響を及ぼすことがある。
【０００８】
これらの課題を解決する手法として、セリに参加している全ての応札機や端末装置にセリ情報が伝達されたことを確認した後、セリ値の入札を受け付けることにより、セリ情報の伝達遅延にもセリに公平に参加して応札可能にするシステムが提案されている（例えば、特許文献１参照）。
【先行技術文献】
【特許文献】
【０００９】
【特許文献１】特開２００７−３２８５２４号公報
【発明の概要】
【発明が解決しようとする課題】
【００１０】
特許文献１の手法では、外部からの応札にも、セリの公正・公平性は確保されるが、応札機や端末装置との確認のための情報のやり取りを必要とし、セリ上げていく時間が長くなる。
【００１１】
このことは、セリ時間の遅れでセリ商品の出荷者が意図するセリ値までのセリ上げ時間が不足してしまう。また、セリ参加者は、他のセリ参加者との間の駆け引きに時間を取られるし、セリ値に常時落札に失敗するおそれもある。
【００１２】
特に、機械セリシステムの応札機は、複雑な機能をもつ場合が多く、応札機および応札システムに不慣れな人では、操作の失敗や操作遅れを伴うため、セリへの参加が難しくなる。また、一度に複数のレーンを見て購入したい商品に対して短時間で応札しなければならないので、買い損ないや操作誤りを引き起こしている。
【００１３】
本発明の目的は、上げセリや下げセリとは異なる入札方式を用いて適正なセリ価格維持とセリ時間短縮ができる機械セリシステム、機械セリ方法およびプログラムを提供することにある。
【課題を解決するための手段】
【００１４】
本発明は、前記の課題を解決するため、セリの実行は、セリ準備状態でセリ人によるセリ操作装置のスタートキー入力で入札の受け付けを開始し、この受け付けを自動終了時間内継続する。自動終了時間経過後またはセリ人による前記セリ操作装置の終了キーの入力されたときに入札を締め切るためのカウントダウンを開始し、このカウントダウンを終了したときに入札の受け付けを終了し、この受付終了後、セリ人による前記セリ操作装置の確定キーの入力されたときに入札商品に残りがないときは落札価格を確定し、入札商品に残りがあるときにはマリセリに切り替えてマリセリ価格での応札を受け付ける。
【００１５】
さらに、各レーンにおけるセリ実行の自動終了時間内であれば、応札機から他レーンを選択し入札する操作を繰り返すことができる。
【００１６】
受付時間内で、自分が購入したい価格で入力を実施すればセリに参加することができるので、買い損ないが無くなり複数レーン同時にセリに参加することができる。
【００１７】
以上のことから、本発明は以下の機械セリシステム、機械セリ方法およびプログラムを特徴とする。
【００１８】
（機械セリシステムの発明）
（１）セリ商品情報およびセリに関連する情報を保存するデータベースと、セリ人による操作に基づいてセリを実行する各セリ操作装置と、セリ入札手段とセリマリ応札手段とセリ情報表示手段を搭載して買参人の応札を実行する複数台の応札機と、セリ操作装置と応札機間の通信や状態を支援・監視する機械セリサーバと、セリ商品のセリ状態をセリ会場内で表示するセリ表示装置とを備え、
前記セリ操作装置のセリ実行処理手段は、
現在のセリ対象となる商品情報を画面表示して、スタートキーまたはマリキーの入力待ちをする準備モード（ＳＴ１）と、
前記準備モード（ＳＴ１）でセリ人による前記セリ操作装置のスタートキー入力で入札の受け付けを開始し、この受け付けを自動終了時間内継続するセリ実行モード（ＳＴ２）と、
前記セリ実行モード（ＳＴ２）で自動終了時間経過後またはセリ人による前記セリ操作装置の終了キーの入力されたときに入札を締め切るためのカウントダウンを開始するカウントダウンモード（ＳＴ３）と、
前記カウントダウンモード（ＳＴ３）でカウントダウンを終了したときに入札の受け付けを終了する受付終了モード（ＳＴ４）と、
前記受付終了モード（ＳＴ４）後、確定及びキャンセルを画面表示して、落札を確定するか入札をキャンセルするかの入力待ちをする確定モード（ＳＴ５）と、
前記確定モード（ＳＴ５）は、セリ人による前記セリ操作装置の確定キーの入力されたときに入札商品に残りがないときは落札価格を確定して前記準備モード（ＳＴ１）にて新セリへ移行し、セリ人による前記セリ操作装置のキャンセルキーの入力されたときに入札をキャンセルし、前記準備モード（ＳＴ１）にて新セリへ移行し、
前記準備モード（ＳＴ１）でセリ人による前記セリ操作装置のマリキー入力または前記確定モード（ＳＴ５）でセリ人による前記セリ操作装置の確定キーの入力されたときに入札商品に残りがあるときはマリセリを実行するマリセリ実行モード（ＳＴ６）と、
を備えたことを特徴とする。
【００１９】
（２）前記応札機は、機械セリサーバを介し前記データベースに対して入荷商品についての情報検索を行い、当該商品について先行登録を行う手段を備え、
前記セリ操作装置は、応札機から前記データベースに先行登録された先行入札情報を機械セリサーバを介し前記データベースから取り込み、セリ開始で判定し、先行入札で指定された金額とセリ応札金額で、リアルタイムに入札価格をセリ上げる手段を備えたことを特徴とする。
【００２０】
（３）前記セリ実行モード（ＳＴ２）は、応札機からのセリ応札受付けの優先順位は入札価格で判定し、同一価格の場合には入札順に優先順位を判定し、応札有効価格を下回らない場合に各応札機および表示装置の画面に落札候補を表示し、セリ中は何度でも再入札を可能とし、Ｗｅｂシステム経由またはセリ場の応札機から入力された先行入札で指定された金額で、リアルタイムに入札価格をセリ上げる手段を備えたことを特徴とする。
【００２１】
（４）前記マリセリ実行モード（ＳＴ６）は、
応札有効価格の入札がない状態からのマリセリはセリ人による任意のマリセリ価格設定に従い、応札有効価格の入札がある状態の場合には応札有効価格の最低価格を自動的にマリセリ価格とする手段と、
前記先行入札または通常入札も有効として、入札順に割り当てを行う手段と、
応札機から異なる価格を指定した場合、判定はマリセリ価格で判定する手段と、
を備えたことを特徴とする。
【００２２】
（５）前記応札機は、
それにＩＣカードがタッチされて暗証番号が入力されることで機械セリサーバを介し前記データベースに対して認証要求を行い、該データベースから認証リプライを受ける手段と、
前記認証登録を受けたことを前記セリ操作装置にブロードキャスト通知する手段と、
を備えたことを特徴とする。
【００２３】
（６）前記応札機は、買参人が入力したレーン情報を取り込みレーンを切り替え、買参人が入力した入札口数と金額を取り込みセリの入札要求を行い、該レーンを管理する前記セリ操作装置からの入札リプライを受ける手段と、前記入札リプライ後、前記セリ操作装置から入札を受けたことを前記応札機に知らせるブロードキャスト通知を受ける手段と、
を備えたことを特徴とする。
【００２４】
（機械セリ方法の発明）
（７）セリ商品情報およびセリに関連する情報を保存するデータベースと、セリ人による操作に基づいてセリを実行する各セリ操作装置と、セリ入札手段とセリマリ応札手段とセリ情報表示手段を搭載して買参人の応札を実行する複数台の応札機と、セリ操作装置と応札機間の通信や状態を支援・監視する機械セリサーバと、セリ商品のセリ状態をセリ会場内で表示するセリ表示装置とを備え、
前記セリ操作装置のセリ実行処理手段は、
現在のセリ対象となる商品情報を画面表示して、スタートキーまたはマリキーの入力待ちをする準備ステップ（ＳＴ１）と、
前記準備ステップ（ＳＴ１）でセリ人による前記セリ操作装置のスタートキー入力で入札の受け付けを開始し、この受け付けを自動終了時間内継続するセリ実行ステップ（ＳＴ２）と、
前記セリ実行ステップ（ＳＴ２）で自動終了時間経過後またはセリ人による前記セリ操作装置の終了キーの入力されたときに入札を締め切るためのカウントダウンを開始するカウントダウンステップ（ＳＴ３）と、
前記カウントダウンステップ（ＳＴ３）でカウントダウンを終了したときに入札の受け付けを終了する受付終了ステップ（ＳＴ４）と、
前記受付終了ステップ（ＳＴ４）後、確定及びキャンセルを画面表示して、落札を確定するか入札をキャンセルするかの入力待ちをする確定ステップ（ＳＴ５）と、
前記確定ステップ（ＳＴ５）は、セリ人による前記セリ操作装置の確定キーの入力されたときに入札商品に残りがないときは落札価格を確定して前記準備ステップ（ＳＴ１）にて新セリへ移行し、セリ人による前記セリ操作装置のキャンセルキーの入力されたときに入札をキャンセルし、前記準備ステップ（ＳＴ１）にて新セリへ移行し、
前記準備ステップ（ＳＴ１）でセリ人による前記セリ操作装置のマリキー入力または前記確定ステップ（ＳＴ５）でセリ人による前記セリ操作装置の確定キーの入力されたときに入札商品に残りがあるときはマリセリを実行するマリセリ実行ステップ（ＳＴ６）と、
を有することを特徴とする。
【００２５】
（8）前記応札機は、機械セリサーバを介し前記データベースに対して入荷商品についての情報検索を行い、当該商品について先行登録を行ステップを有し、
前記セリ操作装置は、応札機から前記データベースに先行登録された先行入札情報を機械セリサーバを介し前記データベースから取り込み、セリ開始で判定し、先行入札で指定された金額とセリ応札金額で、リアルタイムに入札価格をセリ上げるステップを有することを特徴とする。
【００２６】
（9）前記セリ実行ステップ（ＳＴ２）は、応札機からのセリ応札受付けの優先順位は入札価格で判定し、同一価格の場合には入札順に優先順位を判定し、応札有効価格を下回らない場合に各応札機および表示装置の画面に落札候補を表示し、セリ中は何度でも再入札を可能とし、Ｗｅｂシステム経由またはセリ場の応札機から入力された先行入札で指定された金額で、リアルタイムに入札価格をセリ上げるステップを有することを特徴とする。
【００２７】
（１０）  前記マリセリ実行ステップ（ＳＴ６）は、
応札有効価格の入札がない状態からのマリセリはセリ人による任意のマリセリ価格設定に従い、応札有効価格の入札がある状態の場合には応札有効価格の最低価格を自動的にマリセリ価格とするステップと、
前記先行入札または通常入札も有効として、入札順に割り当てを行うステップと、
応札機から異なる価格を指定した場合、判定はマリセリ価格で判定するステップと、
を有することを特徴とする。
【００２８】
（１１）前記応札機は、
それにＩＣカードがタッチされて暗証番号が入力されることで機械セリサーバを介し前記データベースに対して認証要求を行い、該データベースから認証リプライを受けるステップと、
前記認証登録を受けたことを前記セリ操作装置にブロードキャスト通知するステップと、
を有することを特徴とする。
【００２９】
（１２）前記応札機は、買参人が入力したレーン情報を取り込みレーンを切り替え、買参人が入力した入札口数と金額を取り込みセリの入札要求を行い、該レーンを管理する前記セリ操作装置からの入札リプライを受けるステップと、前記入札リプライ後、前記セリ操作装置から入札を受けたことを前記応札機に知らせるブロードキャスト通知を受けるステップと、
を有することを特徴とする。
【００３０】
（機械セリプログラムの発明）
（１３）上記（７）〜（１２）のいずれか１項に記載の機械セリ方法における処理手順をコンピュータで実行可能に構成したことを特徴とする。
【発明の効果】
【００３１】
以上のとおり、本発明によれば、以下の効果がある。
【００３２】
（１）セリの実行は、セリ準備状態でセリ人によるセリ操作装置のスタートキー入力で入札の受け付けを開始し、この受け付けは自動終了時間内継続し、自動終了時間経過後またはセリ人による前記セリ操作装置の終了キーの入力されたときに入札を締め切るためのカウントダウンを開始し、このカウントダウンを終了したときに入札の受け付けを終了し、この受付終了後、セリ人による前記セリ操作装置の確定キーの入力されたときに入札商品に残りがないときは落札価格を確定し、入札商品に残りがあるときにはマリセリに切り替えてマリセリ価格での応札を受け付ける。さらに、各レーンにおけるセリ実行の自動終了時間内であれば、応札機から他レーンを選択し入札する操作を繰り返すことができる。
【００３３】
このような処理手法により、セリ時間短縮とセリ価格維持の両立ができる。すなわち、時間内最後まで競ることができ、締切時間まで終了できない（即売価格も併用可能）、セリ人が任意に終了可能にしてセリ時間短縮ができ、事実上のセリ上げを「より高く」し、さらに指定価格でのマリセリを「より高く」し、価格形成の自由度を高くする。
【００３４】
（２）従来、リモートゼリにあったインターネット回線の時間遅れによるハンディキャップが解消され、全ての買参人に公平な入札が可能となる。
【図面の簡単な説明】
【００３５】
【図１】本発明の実施形態を示す機械セリシステムの要部構成図。
【図２】セリ操作装置の状態遷移図。
【図３】応札機の画面構成例。
【図４】セリ表示画面の構成例。
【図５】入札シーケンス。
【図６】先行登録シーケンス。
【図７】応札機の認証シーケンス。
【図８】従来の機械セリシステムの要部構成図。
【発明を実施するための形態】
【００３６】
図１は、本発明の実施形態を示す機械セリシステムの要部構成図であり、図８と同等のものは同一符号で示す。図１では、セリ商品情報およびセリに関連する情報を保存するセリＤＢサーバ１００と、セリ人による操作に基づいてセリを実行する各セリ操作装置３００と、セリ入札手段とセリマリ応札手段とセリ情報表示手段を搭載して買参人の応札を実行する複数台の応札機４００と、セリ操作装置３００と応札機４００間の通信や状態を支援・監視する機械セリサーバ２００と、セリ商品のセリ状態を表示する大型のセリ表示装置５００とを備える。
【００３７】
セリ操作装置３００は、応札有効価格決定機能３０１と、セリ実行機能３０２と、自動終了機能３０３と、先行入札機能３０４と、セリ・マリ切替機能３０５と、マリ実行機能３０６と、セリ準備機能３０７およびカウントダウン機能３０８を備える。
【００３８】
応札機４００は、起動機能４０１と、アプリケーション管理機能４０２と、認証機能４０３と、指定席機能４０４と、休憩機能４０５と、セリ入札機能４０６と、マリセリ応札機能４０７と、レーン切替機能４０８および先行登録機能４０９を備える。
【００３９】
セリ操作装置３００において、応札有効価格決定機能３０１は、応札機からの最低応札価格を設定するもので、設定には前回の最低応札価格を利用してもよいし、セリ人が新たに手入力してもよい。なお、最低応札価格は買参人に非公開で後述するセリ中に再設定可能である。セリ実行機能３０２は、各応札機からの入札を受け付けてセリを実行する。なお、入札価格が予め設定された有効価格以下の場合は、入札が凍結され、セリ表示装置５００に表示されない。
【００４０】
自動終了機能３０３は、セリ準備機能３０７において、セリ人が設定した自動終了時間に基づき、セリの終了指示を人が実施しなくてもセリを自動的に締め切る。カウントダウン機能３０８は、自動終了後、またはセリ人による終了入力後、一定時間後にセリの受付を終了させる。先行入札機能３０４は、セリ開始前に買参人が予め入札価格を先行登録しておいたものをセリ開始時に自動入札を実施する。
【００４１】
セリ・マリ切替機能３０５は、セリを終了し、確定／キャンセル入力待ちの時に確定を入力し、かつ商品残がある場合にセリからマリセリに自動的に移行する。またはセリの準備段階でマリセリ・キーを押すことによりマリセリに移行する。
【００４２】
マリセリ実行機能３０６は、マリセリ金額の自動化（有効入札がある状態の場合には、有効入札の最低価格が自動的にマリセリ価格となる仕組み）、応札の有効性（マリセリでは先行入札や入札も有効として、入札順に割り当てを行う）およびマリセリ価格優先（応札機から異なる価格を指定しても、判定はマリセリ価格での判定）の各仕組みをもつ。
【００４３】
セリ準備機能３０７は、応札有効価格自動決定機能３０１を用いて応札有効価格を設定したり、機械セリサーバ２００を介してセリＤＢサーバ１００からセリ商品情報や先行入札情報を取得し、それらの情報をセリ表示装置５００やセリ操作装置３００等に表示するための準備を行う。
【００４４】
応札機４００において、起動機能４０１は、応札機を起動して自動的に認証画面を表示してその入力を待つ。アプリケーション管理機能４０２は、応札アプリケーションのリビジョンを一括管理し、機械セリサーバ２００から常に最新のソフトウェアの配布を受ける。認証機能４０３は、ＩＣカードをタッチして暗証番号を入力することで買参人の認証を得ることができる。指定席機能４０４は、応札機は制限なく指定席にすることを可能にし、指定席では指定された買参人以外が使用するのを禁止する。休憩機能４０５は、一定時間だけ応札機を確保する機能であり、休憩のために一時的に一定時間だけ離席可能とするもので、他人の入札操作も禁止する。
【００４５】
レーン切替機能４０８は、現在のレーンから他のレーンに切替え、他のレーンでのセリ入札やセリマリ応札を可能とする。セリ入札機能４０６は、レーンの切替機能４０８によって選択したレーンに対し、買参人が入札口数、金額を入力（口数あるいは金額が０の場合には入札を行わない）後、入札ボタンを押すことによってセリ入札を実行する。
【００４６】
マリセリ応札機能４０７は、レーン切替機能４０８によって選択したレーンに対し、買参人が入札口数を入力した後、応札ボタンを押すことによってマリセリ応札を実行する。なお、口数が０の場合には応札を行わない。先行登録機能４０９は、機械セリサーバ２００を介してセリＤＢサーバ１００に対し、入荷商品の検索を行い、当該商品についての入札を先行して登録する。
【００４７】
以上までの機能ブロックを備えた機械セリシステムにおいて、各レーンに固有のセリ操作装置３００によるセリ実行の状態遷移図を図２に示す。同図中、モードは、セリ準備モード、セリ実行モード、カウントダウンモード、受付終了モード、確定／キャンセルモード、マリセリ実行モードのいずれかの状態をとる。各モード間の遷移は矢印で示し、このときの遷移条件は「文字」で示し、この遷移条件のうちセリ人などの人の入力操作で行われる遷移条件には「文字」に二重の下線を付して示す。
【００４８】
セリ準備モード（ＳＴ１）は、セリキャンセルが行われたときまたはセリが確定し新セリに移行したときに、現在のセリ対象となる商品情報を画面表示する。スタートキーまたはマリキーの入力によりセリ実行モード（ＳＴ２）またはマリセリ実行モード（ＳＴ６）へモード移行する。
【００４９】
セリ実行モード（ＳＴ２）は、入札の受け付けを開始し、この受け付けはセリ準備モード（ＳＴ１）において自動終了時間が設定されていれば自動終了時間内継続する。自動終了時間経過後またはセリ人による終了入力時にカウントダウンモード（ＳＴ３）へモード移行する。
【００５０】
カウントダウンモード（ＳＴ３）は、入札を締め切るためのカウントダウンを開始する。カウントダウン終了後、受付終了モード（ＳＴ４）へ移行し、入札の受け付けを終了する。入札受付終了後、一定時間が経過すると、自動的に確定・キャンセルモード（ＳＴ５）へモード移行する。
【００５１】
確定／キャンセルモード（ＳＴ５）は、受付終了で入札商品に残りがないときにセリ人による確定キーの入力により落札価格を確定し、セリ準備モード（ＳＴ１）へモード移行し、新セリへ移行する。また、受付終了モード（ＳＴ４）で入札商品に残りがあるときにセリ人による確定キーの入力により、マリセリ実行モード（ＳＴ６）へモード移行する。
【００５２】
マリセリ実行モード（ＳＴ６）は、マリセリの実行を開始し、マリセリ価格での応札を受け付け、入札商品の残りがなくなるまで継続する。入力商品の残りがなくなると、確定／キャンセルモード（ＳＴ５）へモード移行し、セリ人による確定キーの入力によりマリセリを確定する。また、マリセリ実行モード（ＳＴ６）は、セリ準備モード（ＳＴ１）の状態でマリキーが入力されて入札商品の残りがあるときもモード移行する。
【００５３】
確定／キャンセルモード（ＳＴ５）において、キャンセルキーを入力した場合には、全ての入札をキャンセルし、セリ準備モード（ＳＴ１）へモード移行する。
【００５４】
図３は応札機４００の画面構成例を示す。同図中、領域Ｄ１には現在注目しているレーンＡについての現在モード（図示では準備）、商品名、入数、入札口数や入札金額、ロット、入札商品の残り数などを表示する。領域Ｄ２にはレーンＡ〜Ｈ別の入札口数や入札金額およびモード（セリ準備、セリ、マリ、終了など）を表示する。
【００５５】
図４はレーン毎に設けられるセリ操作装置３００のセリ人の画面Ｄ３と、セリ表示装置５００として設けられるセリ人および買参人が確認できる画面Ｄ４の構成例を示す。同図では、レーンＡについて、それが終了状態にあること、セリ待機をしている商品情報、入数、ロット番号などが表示される。
【００５６】
図２に従ったセリ操作装置３００と応札機４００との間の主なシーケンス処理を以下に説明する。
【００５７】
（Ａ）セリシーケンス
セリ準備（ＳＴ１）の状態で、セリ操作装置３００上のスタートキーをセリ人が押すことでセリ実行（ＳＴ２）に入り、このセリ開始で応札機４００からのセリ入札（４０６）を受け付ける。入札受付けの優先順位は入札価格（入札単位に下丸めが発生）で判定し、同一価格の場合には入札順に優先順位を判定する。入札を受け付けると順位判定を行い、各画面に落札候補を表示する。ただし、応札有効価格決定（３０１）を下回る場合には、落札候補としない。セリ場の応札機、在宅のセリ端末、先行入札（３０４）との優先順位は存在しない。セリ中は何度でも応札機４００からの再入札を可能とし、入札口数は１以上、金額は１入札単位以上高い金額を入札されたことをチェックする。Ｗｅｂシステム経由またはセリ場の応札機から入力された先行入札（３０４）を入札とともに判定し、先行入札で指定された金額とセリ応札金額で、リアルタイムに入札価格をセリ上げる。セリ終了を行うと、カウントダウン（ＳＴ３）を開始して受付終了（ＳＴ４）のモードに入る。なお、セリ終了時に先行入札価格を決定していない場合には、応札有効価格によって終了する。また、受付終了（ＳＴ４）モード後、確定／キャンセル（ＳＴ５）のモードになり、確定キーを入力すると販売確定となる。
【００５８】
（Ｂ）マリセリ実行
受付終了後の確定／キャンセルモード（ＳＴ５）にあるときに確定キーが入力され、この時に入札商品の残りがある場合、またはセリ準備（ＳＴ１）の後にマリセリ機能のキーを押した場合、マリセリ実行（ＳＴ６）に移行する。なお、応札有効価格の入札がない状態からのマリセリはセリ人により任意にマリセリ価格設定に従い、応札有効価格の入札がある状態の場合には応札有効価格の最低価格を自動的にマリセリ価格とする。また、マリセリでは先行入札（３０４）または通常応札も有効として、入札順に割り当てを行う。また、応札機から異なる価格を指定した場合、判定はマリセリ価格で判定する。また、セリ商品の残数が「０」になるとマリセリ（ＳＴ６）を自動的に終了し、確定／キャンセル（ＳＴ５）に遷移する。また、マリセリのモードではセリ指値を指定するとその表示をする。
【００５９】
（Ｃ）入札シーケンス
図５に入札シーケンスを示す。セリ操作装置３００−１は先行入札機能３０４を使ってセリ商品についての先行情報（商品種別、数量など、セリに必要な情報）を機械セリサーバ２００を介してセリＤＢサーバ１００から取得する（Ｓ１）。この後、セリ人はセリ操作装置３００上のスタートキーを入力し、セリ実行機能３０２を起動させ、場内の認証登録済み応札機に対するセリを開始する（Ｓ２）。セリの開始を検知した買参人は応札機４００のセリ入札機能４０６またはマリセリ応札機能４０７を使って入札要求を行う（Ｓ３）。この入札要求情報としては、下記の表１に示すデータ構成とする。表１中、数量と単価は買参人が入力操作したものであるが、他の項目は全て応札機４００のアプリケーションが付加する情報である。
【００６０】
【表１】
2010224858.tif 000003
【００６１】
この入札要求に対し、セリ操作装置３００−１はセリ人を介さず入札リプライを行う（Ｓ４）。この入札リプライ情報としては、下記の表２に示すデータ構成とする。
【００６２】
【表２】
2010224858.tif 000004
【００６３】
次いで、セリ操作装置３００−１はセリ人を介さず各応札機４００に入札状況をブロードキャスト通知する（Ｓ５）。この入札状況情報としては、下記の表３に示すデータ構成とする。
【００６４】
【表３】
2010224858.tif 000005
【００６５】
他レーンでのセリに参加する場合、応札機４００のレーン切替機能４０８によりレーンを切替え（Ｓ６）、新たな数量と単価を買参人が入力操作し、応札機４００のセリ入札機能を使って入札要求を行う（Ｓ７）。入札要求後、切り替えたレーンを管理するセリ操作装置３００−２から入札リプライ（Ｓ８）、入札状況通知（Ｓ９）が送られてくることは前述の通りである。また、セリが終了していなければ、さらに入札要求（Ｓ１０）することも可能である。以上（Ｓ６〜Ｓ１０）は、セリの入札を例に説明したが、マリセリの場合でも同様である。
【００６６】
（Ｄ）先行登録シーケンス
図６に先行登録シーケンスを示す。応札機４００の先行登録機能４０９は、機械セリサーバ２００を介してセリＤＢサーバ１００に対して入荷商品についての情報検索を行い（Ｓ１４）、当該商品について先行して入札登録を行う（Ｓ１５）。
【００６７】
（Ｅ）応札機の認証シーケンス
図７に応札機の認証シーケンスを示す。買参人は、応札機４００にＩＣカードをタッチして暗証番号を入力することで認証を開始させる。この後、応札機４００の認証機能４０３から機械セリサーバ２００を介してセリＤＢサーバ１００に対して認証要求を行い（Ｓ１６−１）、セリＤＢサーバ１００から機械セリサーバ２００を介して認証リプライを受け（Ｓ１６−２）、認証を終了する。
【００６８】
この認証要求情報と認証リプライ情報としては、下記の表４および表５に示すデータ構成とする。
【００６９】
【表４】
2010224858.tif 000006
【００７０】
【表５】
2010224858.tif 000007
【００７１】
なお、認証後、全てのセリ操作装置３００に応札機４００の座席位置情報を通知するために、認証通知を応札機４００からセリ操作装置３００にブロードキャスト通知する（Ｓ１７）。
【符号の説明】
【００７２】
１００  セリＤＢサーバ
２００  機械セリサーバ
３００  セリ操作装置
４００  応札機
５００  セリ表示装置
【図１】
2010224858.tif 000008
【図２】
2010224858.tif 000009
【図３】
2010224858.tif 000010
【図４】
2010224858.tif 000011
【図５】
2010224858.tif 000012
【図６】
2010224858.tif 000013
【図７】
2010224858.tif 000014
【図８】
2010224858.tif 000015